(57)【特許請求の範囲】
【請求項１】
踵を載せるための踵載置板と、
前記踵載置板の前方に設けた足載置板と、を備えた前、後脛骨筋及び足指力強化装置であって、
前記足載置板は、前後方向にスライド自在に設けられ、
前記足載置板の前端が上下方向に揺動自在に設けられ、
前記足載置板の前端を上方に付勢する第１付勢部と、前記足載置板を前方に付勢する第２付勢部と、前記足載置板上に設けた足指の掛止部と、をさらに備えたことを特徴とする前、後脛骨筋及び足指力強化装置。
【請求項２】
前記踵載置板を支持する枠部と、
前記足載置板の下方に配置されると共に、前記枠部に設けたスライド溝にスライド自在に嵌め込まれた支持板と、を備え、
前記足載置板と前記支持板との間に前記第１付勢部が設けられたことを特徴とする請求項１に記載の前、後脛骨筋及び足指力強化装置。
【請求項３】
前記踵載置板の上面と前記掛止部の頂部とが同じ高さに設けられている
ことを特徴とする請求項１又は２に記載の前、後脛骨筋及び足指力強化装置。
【発明の詳細な説明】
【技術分野】
【０００１】
本発明は、前、後脛骨筋及び足指力強化装置に関する。
【背景技術】
【０００２】
前脛骨筋は、膝の下外側から土踏まずまで続いている筋肉である。前脛骨筋は、人が立つ、歩く、走るのに重要な筋肉であり、足関節の動きをつかさどり、膝関節や股関節にも大きな影響を与える大切な筋肉である。前脛骨筋は、足関節の背屈（つまさきを持ち上げる）の主動作筋として使われるが歩行時やランニング時、立位でバランスをとるなど沢山の働きを担っている。このため、前脛骨筋は、立つ動作から立って行う全てのスポーツや運動に重要な役割をする（例サッカーでのボールコントロールなど）。また、前脛骨筋は、通常の歩く動作、つま先を持ち上げ、つまづかないような役割をするため、この筋肉が衰えると、つまづきや転倒の原因になる。
【０００３】
後脛骨筋は、足関節の底屈筋で、足底筋内側のアーチの形成に関与する筋肉である。また、後脛骨筋は、以下の作用をする。まず、日常生活においての後脛骨筋の作用としては、高いものをとるために、つま先立ちや背伸びをする動作、足首のバランスを取る役割、歩行の際に足裏で地面をしっかりと踏むための調整などに使われる。そして、スポーツや運動においての後脛骨筋の作用としては、柔道における足払い、ランニングやダッシュ、ジャンプ動作、スポーツ全般において足首を伸ばす働きの補助を行う。後脛骨筋は、ふくらはぎの最も深層に位置して足首の調整を行っている筋肉である。このため、この筋肉が衰えると（弱まると）成人でも偏平足になってしまう。
【０００４】
上述したように、前、後脛骨筋の強化は、子供の運動機能の向上、アスリートの競技力の向上、転倒防止（介護予防）、生活習慣病予防など人が立つことから立って動くさらにスポーツでの技術の向上まですべてに重要な筋肉である。しかし、このように重要な筋肉でありながら、これら前、後脛骨筋を鍛える器具はないというのが現状である。
【０００５】
そして、この前、後脛骨筋と同じく、足底・足指をきたえたり、刺激したりすることは、内臓の活動を活発にさせて健康に良いとされている。また、スポーツをするときの基礎力となる走力や、ジャンプ力及び瞬発力などには親指の筋力が特に重要とされており、スポーツ選手には足底筋・足指力の強化トレーニングをする者が多い。
【０００６】
一方、近年の生活様式の影響等によって、足底筋・足指力が弱くなってきており、一般に、足の親指が外反状（体の中心線に対して親指が第二指の方向に曲がる症状）になる傾向が強くなってきている。そのような外反状になると運動機能の低下や東洋医学的には内臓機能の低下等に結びつくものとされており、前記外反症状を治療し、防止するためには足底筋・足指力の強化が最も良いとされている。
【０００７】
足底筋の強化を目的として、例えば、特許文献１において、「足底筋強化トレーニングボード」が提案されている。前記特許文献１において提案されている「足底筋強化トレーニングボード」は、左右両足の踵を載せるかかと載置部と、前記左右両足の足先部を載せる足載置部とを有し、前記左右両足の足先部を載せた状態において、足の指の付け根部に対応する位置に掛止部が突設されている。
【０００８】
そして、前記足載置部はトレーニングボード本体を構成する外枠部に対してスライド自在に取り付けられているとともに、常に前方に付勢されている。このように構成されることにより、前記掛止部に指を引っ掛けて前記足載置部を左右交互に引くことにより、足底筋を強化することが可能となっている。
【０００９】
しかしながら、子どもや高齢者で足底筋・足指力の弱い人がこのトレーニングボードを使用すると、足載置部を引くことができず、足底筋・足指力のトレーニングを行うことができない、という問題があった。
【００１０】
さらに、上述した特許文献１のトレーニングボードでは、前述の前脛骨筋及び後脛骨筋の強化を行うことができない、という問題もある。
【先行技術文献】
【特許文献】
【００１１】
【特許文献１】特開昭６０−８０４６７号公報
【発明の概要】
【発明が解決しようとする課題】
【００１２】
本発明は、以上の背景に鑑みてなされたものであり、前、後脛骨筋を強化すると共に足底筋・足指力の弱い人でもトレーニングを行うことができる前、後脛骨筋及び足指力強化装置を提供することを目的としている。
【課題を解決するための手段】
【００１３】
上述した課題を解決するためになされた本発明の前、後脛骨筋及び足指力強化装置は、踵を載せるための踵載置板と、踵載置板の前方に設けた足載置板と、を備えた前、後脛骨筋及び足指力強化装置であって、足載置板は、前後方向にスライド自在に設けられ、足載置板の前端が上下方向に揺動自在に設けられ、足載置板の前端を上方に付勢する第１付勢部と、足載置板を前方に付勢する第２付勢部と、足載置板上に設けた足指の掛止部と、をさらに備えたことを特徴とする。
【００１５】
また、踵載置板を支持する枠部と、足載置板の下方に配置されると共に、枠部に設けたスライド溝にスライド自在に嵌め込まれた支持板と、を備え、足載置板と支持板との間に第１付勢部が設けられていてもよい。
【００１６】
踵載置板の上面と掛止部の頂部とが同じ高さに設けられていてもよい。
【発明の効果】
【００１７】
以上説明したように請求項１記載の発明によれば、踵載置板に踵を載せて、足指の付け根を掛止部に載せて、足載置板の前端側を上下に動かす。つまり、踵を固定させて、足先を押し込む、戻す動作を繰り返すことにより、前脛骨筋及び後脛骨筋を強化することができる。この運動は足底筋・足指力の弱い人でもトレーニングを行うことができる。また、足載置板の前端側を前後にスライドさせることにより、親指などの足指力や足のアーチの形成に大切な足底筋等の鍛錬をすることもできる。
【図面の簡単な説明】
【００１９】
【図１】本発明の前、後脛骨筋及び足指力強化装置の一実施形態を示す斜視図である。
【図２】図１に示す前、後脛骨筋及び足指力強化装置の上面図である。
【図３】図１に示す前、後脛骨筋及び足指力強化装置の側面図である。
【図４】図１に示す前、後脛骨筋及び足指力強化装置のＩ−Ｉ線断面図である。
【図５】図１に示す前、後脛骨筋及び足指力強化装置のＩＩ−ＩＩ線断面図である。
【図６】図１に示す前、後脛骨筋及び足指力強化装置の使用例を示すＩ−Ｉ線断面図である。
【図７】図１に示す前、後脛骨筋及び足指力強化装置の使用例を示すＩ−Ｉ線断面図である。
【図８】図１に示す前、後脛骨筋及び足指力強化装置の使用例を示すＩ−Ｉ線断面図である。
【図９】本発明の前、後脛骨筋及び足指力強化装置の他の実施形態を示す断面図である。
【発明を実施するための形態】
【００２０】
以下、本発明の一実施形態を、図１ないし図５に基づいて説明する。図１に示す前、後脛骨筋及び足指力強化装置１は、枠部２と、隔壁３と、踵載置板４と、隔壁５と、一対の足載置板６，６と、一対の掛止部７，７と、一対の支持板８，８と、一対の連結部９，９と、第１付勢部としてのバネ１０、第２付勢部としてのバネ１１と、を備えている。
【００２１】
枠部２は、前枠２１、後枠２２、左枠２３及び右枠２４からなり、略四角形状に形成されている。隔壁３は、枠部２内を左右に隔てる壁であり、左枠２３及び右枠２４に平行に設けられている。隔壁３は、前枠２１から後枠２２に渡って設けられている。
【００２２】
隔壁３は、後述する踵載置板４よりも前方部分は枠部２や踵載置板４の上面よりも上側に突出して設けられている。隔壁３の上部は前後方向から見て半月状に形成されている。
【００２３】
踵載置板４は、左右方向に長尺の長方形状に設けられていて、枠部２の後端上部に搭載されている。詳しく説明すると、踵載置板４の左端部及び右端部は、それぞれ左枠２３及び右枠２４の上部に搭載され、踵載置板４の後端部は、後枠２２の上部に搭載されている。
【００２４】
隔壁５は、踵載置板４上に突設され、踵載置板４を左右に隔てる壁である。隔壁５は、隔壁３の踵載置板４よりも前方部分の上部に連なって設けられる。
【００２５】
一対の足載置板６，５は、踵載置板４の前方に設けられている。一対の足載置板６，５はそれぞれ、前後方向に長尺の長方形状に設けられていて、その後端が踵載置板４の下側に配置されている。一対の足載置板６，５の一方は、左枠２３及び隔壁３間に配置され、一対の足載置板６，５の他方は、右枠２４及び隔壁３間に配置されている。一対の足載置板６，５の幅は、右枠２４及び隔壁３間、左枠２３及び隔壁３間の幅とほぼ同じに設けてある。
【００２６】
一対の掛止部７，７は、一対の足載置板６，６の上面にそれぞれ突設され、足の指の付け根部分を掛止する。掛止部７は、足指の付け根の凹部に沿って足指を掛止めするように凸状に形成されおり、使用者が踵を踵載置板４に載せたとき、掛止部７が足指の付け根を掛け止めする位置と大きさに形成してある。具体的には、掛止部７は、左右方向に長尺に形成され、足の指の付け根に沿うように外側に向かうに従って踵載置板４に近づくような湾曲状に形成されている。また、掛止部７の頂部の高さは、踵載置板４の上面とほぼ同じ高さに設けられている。
【００２７】
一対の支持板８，８は、踵載置板４の前方かつ足載置板６の下方に設けられている。一対の支持板８，８はそれぞれ、前後方向に長尺の長方形状に設けられている。左枠２３及び右枠２４の内側面、隔壁３の左右両側面にはそれぞれ、前後方向に沿ったスライド溝Ｓが形成されていて、一対の支持板８，８は、その左右端がスライド溝Ｓにスライド自在に嵌め込まれている。これにより、一対の支持板８，８は、前後方向にスライド自在に設けられる。
【００２８】
連結部９は、足載置板６と支持板８の後端に挟まれている。連結部９は、左右方向に長尺の棒状に設けられている。連結部９の左右方向の長さは、上記支持板８及び足載置板６の左右方向の長さとほぼ等しい。これら支持板８の後端及び連結部９には、ネジＮ１が螺合されるネジ孔が設けられている。また、足載置板６の後端にはネジＮ１が挿入される挿入孔が設けられている。ネジＮ１を足載置板６の挿入孔に挿入し、支持板８の後端及び連結部９に設けたネジ孔に螺合する。ネジＮ１のネジ頭は足載置板６の上面に配置される。これにより、支持板８及び連結部９を互いに固定することができる。また、足載置板６に設けた挿入孔はネジＮ１の軸部の孔より大きく形成され、図4に示すように、足載置板６の後端を軸としてその前端が上下に揺動可能な程度に連結部９に取り付けられる。
【００２９】
また、足載置板６の後端には、ネジＮ２が螺合されるネジ孔が設けられている。また、支持板８の後端にはネジＮ２が挿入される挿入孔が設けられている。ネジＮ２のネジ頭は支持板８の下面に配置される。バネ１０は、コイルバネから構成され、ネジＮ２の回りに巻かれている。このバネ１０は足載置板６の下面と支持板８の上面との間に設けられている。そして、バネ１０は足載置板６を上方に付勢する。以上の構成により、足載置板６はその後端を軸として前端が上下方向に揺動自在に設けられる。
【００３０】
上記支持板８の下面からはバネ取付部１２が突設されている。バネ１１は、一端がバネ取付部１２に取り付けられ、他端が前枠２１に取り付けられている。こそして、バネ１１は、支持板８を前方に付勢する。
【００３１】
上述したように足載置板６は、前後方向にスライド自在であり、前方に付勢されている支持板８に取り付けられている。このため、足載置板６も前後方向にスライド自在であり、前方に付勢される。
【００３２】
次に、上述した前、後脛骨筋及び足指力強化装置１の使用例について説明する。まず、図４に示すように、踵載置板４に踵を載せて体重をかける。また、踵以外の足の前方部分を足載置板６に載せて足指を掛止部７に掛け止めさせる。そして、図６に示すように、足指全体で、バネ１０の付勢に抗して足載置板６の前端を下方に押す。続いて足指全体で、バネ１０の付勢に抗すように、足載置板６の前端をゆっくり上方に戻す。以上のように、踵を固定させて、足先を押し込む、戻す動作を繰り返すことで、前脛骨筋及び後脛骨筋を強化することができる。この運動は足底筋・足指力の弱い人でもトレーニングを行うことができる。また、この運動は、前脛骨筋、後脛骨筋及び、親指を中心とした足指力、長腓骨筋、アキレス腱、腓腹筋、ひらめ筋も強化することができる。
【００３３】
また、図７に示すように、バネ１１の付勢に抗して足載置板６を後方へスライドするように足指を屈曲させる。続いて屈曲された足指を伸ばしてバネ１１の付勢に抗すように、足載置板６をゆっくり前方に戻す。以上の足指の屈伸を繰り返して足載置板６を前後にスライドさせて、足底筋・足指力の強化トレーニングに使用することもできる。
【００３４】
さらには、図８に示すように、足指全体で、バネ１０の付勢に抗して足載置板６の前端を下方に押した状態で、さらにバネ１１の付勢に抗して足載置板６を後方へスライドするように足指を屈曲させる。続いて足指全体で、バネ１０の付勢に抗して足載置板６の前端を下方に押した状態で、屈曲された足指を伸ばしてバネ１１の付勢に抗すように、足載置板６をゆっくり前方に戻す。その後、足指全体で、バネ１０の付勢に抗すように、足載置板６の前端をゆっくり上方に戻す。この一連の動作で、前脛骨筋、後脛骨筋の強化に加えて、足底筋・足指力の強化トレーニングを行うことができる。
【００３５】
以上の前、後脛骨筋及び足指力強化装置１によれば、足指の屈伸運動のとき、足載置板６の前端を下方に押すだけであるため弱い力で簡単に足指を屈曲反復させることができる。この運動は足載置板６を前後にスライドさせる運動よりも弱い力で簡単に行えるため、足底筋・足指力の弱い人でもトレーニングを行うことができる。
【００３６】
また、上述した前、後脛骨筋及び足指力強化装置１によれば、踵載置板４を支持する枠部２と、足載置板６の下方に配置されると共に、枠部２に設けたスライド溝Ｓにスライド自在に嵌め込まれた支持板８と、を備え、足載置板６と支持板８との間にバネ１０が設けられている。これにより、簡単な構成で、足載置板６の前端を上下に揺動させる運動と、足載置板６を前後にスライドさせる運動と、の両方が行える前、後脛骨筋及び足指力強化装置１を得ることができる。
【００３７】
また、上述した前、後脛骨筋及び足指力強化装置１によれば、踵載置板４の上面と掛止部の頂部とが同じ高さに設けられている。これにより、より理想的な前、後脛骨筋及び足指力の筋力強化を図ることができる。
【００３９】
また、上述した実施形態によれば、足載置板６は、後端に設けた連結部９とバネ１１とにより前端が揺動可能に設けられていたが、これに限ったものではない。足載置板６としては、後端を軸として前端が上下に揺動可能に設けられていればよく、板バネ１３を用いた構成であってもよい。板バネ１３は、図９に示すように、上下方向に互いに対向する一対の板部１３ａ、１３ｂと、一対の板部１３ａ、１３ｂの後端を連結する連結部１３ｃと、から構成されている。そして、一対の板部１３ａ、１３ｂのうち上方の板部１３ａに足載置板６が取り付けられ、下方の板部１３ｂに支持板８が取り付けられている。
【００４０】
板バネ１３と支持板８とを別々に設けずに、下側の板部１３ｂを支持板８そのものとしてもよい。さらに、板バネ１３と足載置板６とを別々に設けずに上側に板部１３ａを足載置板６そのものとしてもよい。
【００４１】
また、上述した実施形態によれば、バネ取付部１２は１つしか設けられていなかったが、これに限ったものではない。バネ取付部１２を前後方向に並べて複数もうけてもよい。これにより、バネ１１を取り付けるバネ取付部１２を選択することにより、バネ１１の付勢力を調整することができる。
【００４２】
また、上述した実施形態では、バネ１１は支持板８に取り付けられていたが、これに限ったものではない。足載置板６に取り付けられていてもよい。
【００４３】
なお、本発明は上記実施形態に限定されるものではない。即ち、本発明の骨子を逸脱しない範囲で種々変形して実施することができる。
【符号の説明】
【００４４】
１  前、後脛骨筋及び足指力強化装置
２  枠部
４  踵載置板
５  足載置板
７  掛止部
８  支持板
１０  バネ（第１付勢部）
１１  バネ（第２付勢部）
Ｓ  スライド溝
【図１】
0006802557.tif 000002
【図２】
0006802557.tif 000003
【図３】
0006802557.tif 000004
【図４】
0006802557.tif 000005
【図５】
0006802557.tif 000006
【図６】
0006802557.tif 000007
【図７】
0006802557.tif 000008
【図８】
0006802557.tif 000009
【図９】
0006802557.tif 000010